(57)【要約】【課題】  回路基板上に誤った向きにマウントされてリフローされた場合の修正作業を容易に行うことができる面実装型部品を提供する。【解決手段】  回路基板の凹部に対応する凸部を部品の底面の３以上の箇所に設けて、誤った向きにマウントされた部品が回路基板上で傾いたり転倒することを防止する。これにより、タインが回路基板表面の導体パターンに接触しなくなるので、電気的に誤接続されることがなく、タインに半田が付着しないのでリフロー後の修正作業も容易に行うことができる。【選択図】  図２
2006086364.tif 000002
【特許請求の範囲】
【請求項１】
基板表面の導体に接続される電極と、前記基板上に所定以外の向きに配置された状態で電気的に接続されることを防止する誤接続防止部とを有する面実装型部品であって、
前記基板上に所定以外の向きに配置されたときに、前記基板に対向する面の一線上にない３以上の箇所に設けられた前記誤接続防止部が、前記基板表面に接して前記電極が前記導体に接触しないように前記面実装型部品を正立させる
ことを特徴とする面実装型部品。
【請求項２】
前記誤接続防止部は、前記基板に設けられた凹部に対応する凸部であることを特徴とする請求項１に記載の面実装型部品。
【発明の詳細な説明】
【技術分野】
【０００１】
本発明は、回路基板に実装される部品に関し、特に面実装型の部品に関する。
【背景技術】
【０００２】
回路基板の表面に形成された導体パターン（ランド）に接続されて所定の回路を構成するための部品には、実装すべき向きが定められているものがある。電解コンデンサ，ダイオードなどの有極性の電子部品やコネクタがその代表的なものである。これらの部品が回路基板上に誤った向きに置かれたまま半田付け（リフロー）されてしまうと、所定の回路が構成されないだけでなく故障や短絡事故などの原因になる。そこで、このような部品の誤接続を防止すべく、回路基板に配置すべき正しい向き（極性）を容易に識別できるような表示を部品自体に付したり、部品が回路基板に誤った向きに置かれた場合には半田付けによる電気的接続がなされないようにすることが行われている。
【０００３】
特許文献１および特許文献２には、底部の一端側に凸部を設けることにより、回路基板上のランドに所定の向きに置かれた場合にのみ当該回路基板の凹部と嵌合して回路基板に密着するようにされたチップ型電解コンデンサが記載されている。このような構成によれば、チップ型部品が回路基板上に誤った向きに置かれた場合にはその底部に凸部を有する側の電極がランドに接しないので電気的に誤接続されることを防ぐことができる。
【０００４】
図３は、このような構成を有するチップ型電解コンデンサＡが回路基板Ｂ上に置かれてリフロー工程を経た後の状態を模式的に示す図である。チップ型電解コンデンサＡが所定の向きに置かれた場合には、図３（ａ）に示すように底面の一端側に設けられた凸部が回路基板Ｂの凹部４０に嵌合してチップ型電解コンデンサＡが回路基板Ｂに密着する。この場合には、プラス側電極とマイナス側電極の両方が回路基板Ｂ上に形成されたランドに接するので、ランドに予め塗布されているペースト状の半田５０による電気的接続がその後のリフロー工程により完成する。一方、チップ型電解コンデンサＡが誤った向きに置かれた場合には、図３（ｂ）に示すように、底面の一端側に設けられた凸部が回路基板Ｂの凹部４０と嵌合せず、底面に凸部が設けられた一端側の電極（図３においてはプラス側電極）が回路基板Ｂに接触しない。この場合には、その後のリフロー工程を経ても電極の一方がランドに半田付けされず、電気的に誤接続されることがない。
【０００５】
同様の構成は、チップ型部品以外の面実装型部品についても適用されている。図４および図５は、回路基板に誤った向きに実装されることを防止するための２個の凸部（ボス）がその底部に設けられた従来の面実装型電気コネクタの一例を示す。
【０００６】
図４（ａ）は従来の面実装型の電気コネクタ２００の平面図、図４（ｂ）は正面図、図４（ｃ）は底面図および図４（ｄ）は右側面図である。左右の側面はほぼ対称の構造であるので、ここでは左側面図を省略する。この電気コネクタ２００は、嵌合される相手側コネクタ（図示せず）のコンタクトと接触して電気的接続をなすための複数のコンタクト２２０と、電気コネクタ２００を回路基板に固定するためのペグ２３０と、これらを保持する絶縁性のハウジング２１０を備えている。ハウジング２１０に２列に配置された各コンタクト２２０は、その上端部２２０ａが嵌合相手側コネクタのコンタクトと接触する。コンタクト２２０の下端部２２０ｂは、ハウジング２１０の下面でほぼ直角に曲げられて回路基板と平行に両側面から外方に延び、回路基板の表面に形成されるランドに半田付けされる。ペグ２３０は、ハウジング２１０の両端に配置され、回路基板の表面に形成されるランドに半田付けされて電気コネクタ２００を回路基板に固定する。
【０００７】
ハウジング２１０は、さらに、その両端部の下面２１０ａおよび２１０ｂにそれぞれ凸部（ボス）２４０Ａおよび２４０Ｂを備えている。この２つのボス２４０Ａ，２４０Ｂは、コネクタ２００が回路基板に誤った向きに実装されることを防止するためのものであり、コネクタ２００が回路基板に正しい向きに置かれた場合には所定位置にガイドしてコンタクトのタインを所定のランドに正しく導く役目も併せ持つ。これらのボスは、互いに異なる径にされたり、断面が異形にされるのが通常である。回路基板（図示せず）側には、これらに対応する凹部（穴）が所定の位置に設けられる。
【特許文献１】実開平１−１３９４２１号公報
【特許文献２】特開平７−６６０８０号公報
【発明の開示】
【発明が解決しようとする課題】
【０００８】
上記のような構成によれば、回路基板上に誤った向きに置かれた部品がそのまま電気的に誤接続されてしまうことを防ぐことはできる。しかし、部品の底面に凸部が設けられているため、誤った向きに置かれた部品は回路基板上で傾いたり転倒して、ペースト状の半田を塗布されたランドに接した電極（タイン）やペグに半田が付着したり、傾いたままランドに半田付けされてしまうことがある。
【０００９】
図５は、底面に２つのボスを有する従来の電気コネクタ２００が回路基板Ｂ上に誤った向きに置かれて傾いている状態を模式的に示す図であり、図４（ｂ）のＹ−Ｙ位置における断面を示している。ハウジング２１０の一端の下面２１０ａおよび他端の下面２１０ｂに設けられた２つのボス２４０Ａ，２４０Ｂは、その径が互いに異なっているため、コネクタ２００が逆向きに置かれたときには少なくとも一方が回路基板Ｂの孔（図示せず）に嵌合しない。このため通常は、図５に示すように、コネクタ２００が基板上で傾いた状態になる。部品の装着（マウント）時には回路基板上のランド（図示せず）に半田ペースト塗布されているので、この状態のままリフロー炉に挿入されると、ランドに接するタインが半田付けされてしまう。このため、リフロー工程の後に、半田こて等を用いて当該部品を回路基板から取り外して正しい向きに実装し直す修正作業が必要である。また、タインに不要な半田が付着したり変形することもあり、その場合にも修正する必要がある。これらの修正は手作業によらなければならず、多数の接続電極を有する面実装型コネクタのような部品においては極めて負担が大きかった。
【００１０】
本発明は、このような状況を踏まえてなされたものであり、回路基板の導体パターン（ランド）に接続すべき向き（極性）が定められている部品が誤った向きに実装されることを防止するとともに、回路基板上に誤った向きに置かれたままリフロー工程を経た場合でも修正作業を容易に行うことができる面実装型部品を提供することを目的とする。
【課題を解決するための手段】
【００１１】
本発明の請求項１に係る面実装型部品は、基板表面の導体に接続される電極と、前記基板上に所定以外の向きに配置された状態で電気的に接続されることを防止する誤接続防止部とを有し、前記基板上に所定以外の向きに配置されたときに、前記基板に対向する面の一線上にない３以上の箇所に設けられた前記誤接続防止部が、前記基板表面に接して前記電極が前記導体に接触しないように前記面実装型部品を正立させることを特徴とする。
【００１２】
また、本発明の請求項２に係る面実装型部品は、請求項１に記載の面実装型部品において、前記誤接続防止部が前記基板に設けられた凹部に対応する凸部であることを特徴とする。
【発明の効果】
【００１３】
請求項１に係る面実装型部品によれば、基板表面の導体に接続される電極と、前記基板上に所定以外の向きに配置された状態で電気的に接続されることを防止する誤接続防止部とを有する面実装型部品において、前記基板上に所定以外の向きに配置されたときに前記基板に対向する面の一線上にない３以上の箇所に設けられた前記誤接続防止部が前記基板表面に接して前記電極が前記導体に接触しないようにしたので、回路基板上に誤った向きに置かれた場合であっても実装型部品を正立状態に保つことができ、電極が回路基板上の導体に接触しないので電気的に誤接続されることを防止できる。
【００１４】
また、請求項２に係る面実装型部品によれば、請求項１に記載の面実装型部品において前記実装向きの規制手段が前記基板に設けられた凹部に対応する凸部であるので、回路基板上に面実装型部品が誤った向きに置かれた場合に、当該面実装型部品の電極を回路基板の表面から浮き上がらせて接触しないようにすることができ、電気的に誤接続されることを確実に防止できる。
【発明を実施するための最良の形態】
【００１５】
以下に、図面を参照しながら本発明の好適な実施形態を説明する。なお、説明の便宜上、各図面における上方および下方をそのまま上方および下方という。
【００１６】
図１および図２は、本発明に係る面実装型部品の実施の一形態である電気コネクタを示す。この電気コネクタ１００は、図３および図４に示した従来の電気コネクタ２００と同様のものであるが、ハウジングの底面に３つの凸部（ボス）を備えている点が異なっている。
【００１７】
図１（ａ）は本発明に係る面実装型の電気コネクタ１００の平面図、図１（ｂ）は正面図、図１（ｃ）は底図および図１（ｄ）は右側面図である。左側面の構造は右側面の構造とほぼ対称であるので、左側面図を省略する。
【００１８】
この電気コネクタ１００は、前述した従来の電気コネクタ２００（図４および図５）と同様に、嵌合相手側コネクタ（図示せず）のコンタクトと接触して電気的接続をなすための複数のコンタクト１２０と、電気コネクタ１００を回路基板に固定するためのペグ１３０と、これらを保持する絶縁性のハウジング１１０を備えている。ハウジング１１０に２列に配置された各コンタクト１２０は、その上端部１２０ａが嵌合する相手側コネクタのコンタクトと接触する。コンタクト１２０の下端部１２０ｂは、ハウジング１１０の下面でほぼ直角に曲げられて回路基板と平行に両側面から外方に延び、回路基板の表面に形成される導体パターン（ランド）に半田付けされる。ペグ１３０は、ハウジング１１０の両端に配置され、回路基板の表面に形成されるランドに半田付けされて電気コネクタ１００を回路基板に固定する。
【００１９】
一方、この電気コネクタ１００は、従来の電気コネクタ２００とは異なり、ハウジング１１０の一方の端部の下面１１０ａに凸部（ボス）１４０Ａを、他方の端部の下面１１０ｂにボス１４０Ｂおよび１４０Ｃをそれぞれ備えている。この３つのボスは、実装される回路基板に対向するハウジング１１０の底面の3箇所に三角形の頂点をなすように３つのボスが配置されている。すなわち、３つのボスが一線上に位置しないように配置され、電気コネクタ１００が回路基板上に誤った向きに置かれた場合でも傾いたり転倒することはないようにされている。このボス１４０Ａないし１４０Ｃは、コネクタ１００が回路基板に正しい向きに置かれた場合には、回路基板（図示せず）側の所定位置に設けられた凹部（穴）に嵌合してコネクタ１００を所定位置にガイドしてコンタクト１２０の下端部１２０ｂ（タイン）を所定のランドに正しく導く役目も併せ持つ。
【００２０】
図２は、底面に３つのボスを有する本発明に係る電気コネクタ１００が、回路基板Ｂ上に誤った向きに置かれた場合に正立している状態を模式的に示す図であり、図１（ｂ）のＸ−Ｘ位置における断面を示している。すなわち、コネクタ１００が回路基板Ｂ上に逆向きに置かれた場合であっても、ハウジング１１０の底面には３つのボスが設けられているため、コネクタ１００が基板Ｂ上で傾いたり転倒することはない。このため、この状態のままリフロー炉に挿入されても、回路基板Ｂ上のランド（図示せず）に塗布されている半田ペーストが電極（タイン）やペグに付着することはなく、タインが回路基板Ｂの導体部分に半田付けされてしまうこともない。このため、リフロー工程の後に、当該部品を回路基板から取り外して正しい向きに実装し直す修正作業を容易に行うことができる。
【００２１】
なお、面実装型部品が電気コネクタである場合を例として説明したが、本発明は、半導体パッケージ、各種の能動素子および受動素子，表示素子などを含むあらゆる面実装型部品に適用可能である。また、部品底面に設けられる誤接続防止手段としての凸部（ボス）は、当該部品を回路基板上に正立させてタインが基板表面のランドに接触しないようにできれば良く、一線上に位置する場合を除いて任意の３箇所以上に設けることができる。
【図面の簡単な説明】
【００２２】
【図１】本発明の実施の一形態である電気コネクタの構成例を示す図であり、図４（ａ）は平面図，図４（ｂ）は正面図，図４（ｃ）は底面図，図４（ｄ）は右側面図である。
【図２】本発明の実施の一形態である電気コネクタが回路基板上に誤った向きに置かれた状態を示す図である。
【図３】誤接続を防止するための突起が設けられた従来の面実装型部品の一例を示す図である。
【図４】従来の電気コネクタの構成例を示す図であり、図４（ａ）は平面図，図４（ｂ）は正面図，図４（ｃ）は底面図，図４（ｄ）は右側面図である。
【図５】従来の電気コネクタが回路基板上に誤った向きに置かれた状態を示す図である。
【符号の説明】
【００２３】
１００  電気コネクタ
１１０  ハウジング
１２０  電極
１３０  ペグ
１４０Ａ，１４０Ｂ，１４０Ｃ  凸部（ボス）
【図１】
2006086364.tif 000003
【図２】
2006086364.tif 000004
【図３】
2006086364.tif 000005
【図４】
2006086364.tif 000006
【図５】
2006086364.tif 000007